(57)【要約】【課題】駐車場内で、満車でも警備員が空車スペースに案内でき、リアルタイムに変化する空車スペースに対応、駐車場内、表の道路の自動車による混雑を緩和する。【解決手段】大駐車場案内盤の空車ランプ、満車ランプの点滅で、近傍の警備員は案内でき、満車を満車検出器が検出で空車スペースを知らせる空車スペース報知スピーカで報知可能にし、空車灯を消灯、満車灯を点灯させ、余裕の満車から次々駐車場に入った自動車は、満車知らせランプの点灯する中、他駐車列毎の駐車列案内表示器の上部に設けられ、鳴動する空車知らせブザーを目指し、運転して、当該駐車列案内表示器の空車知らせランプの点灯した空車ペースへと駐車すれば良く、当該満車検出器が満車検出で第２入口ゲートランプを点灯、駐車受付開始を知らせ、第２入口ゲートを受付可能、空車検出器が検出、空車知らせブザーの鳴動、空車スペース報知スピーカの報知を止め、第２入口ゲート、ランプの点灯させて駐車受付を継続するようし、混雑状態に対応、使い勝手を有する。【選択図】  図１
2005310024.tif 000002
【特許請求の範囲】
【請求項１】
駐車列の空車スペース毎に設けた駐車検出板１９で、自動車が駐車で押されてタッチスイッチS（a接点）の信号ＳＡ１−ＳＡ７の全信号送出で、一致回路２９で満車知らせランプ３を点灯させ、ランプスイッチL（b接点）の各信号のＬＡ１−ＬＡ７で個々の空車知らせランプ４を点滅させる電気回路で、空車知らせブザー２１を設けた駐車列案内表示器２を、各々駐車列の入口に、駐車列毎に設けるようし、タッチスイッチS、ランプスイッチLの電気回路で接続された大駐車場案内盤１は１階、屋上の１７駐車列の満車ランプ５と、空車ランプ６を点滅させ、タッチスイッチSの信号をスイッチング回路１７でカウントし、加算回路１２で実駐車数表示器８にて駐車数を表示し、設定した満車を満車検出器１１が検出するとリレー２５が励磁され、接点２２が閉じて空車知らせブザー２１を鳴動可能にし、接点２３が閉じて音声回路１３から空車スペース報知スピーカ７で報知を可能にし、空車灯９は消灯、満車灯１０は満車状態で点灯し、当該電気回路に接続された駐車列毎の上部に空車知らせブザー２１を設けた駐車列案内表示器２の満車知らせランプ３と、空車知らせランプ４の７個を点滅させ、駐車検出板１９で、自動車が駐車されてタッチスイッチSが入り、ランプスイッチLが切れる電気回路で、満車を満車検出器１１が検出して、空車知らせランプ４が点灯して空車スペースがある駐車列案内表示器２上の、当該空車知らせブザー２１を鳴動させ、大駐車場案内盤１の空車知らせ報知スピーカ７で、空車知らせランプ４の点灯した箇所に空車スペースがあると報知し、且つ、満車検出器１１により発券機駆動装置２６を駆動させ、発券機２７を作動させて第２入口ゲート２０の受付可能にし、満車検出器１１の駆動制御により第２入口ゲートランプ２８を点灯させて受付開始を知らせ、駐車列案内表示器２の空車知らせランプ４と、満車知らせランプ3を点滅させ、満車状態で満車検出器１１の駆動後、ランプスイッチＬのＬＡ１−ＬＡ７の信号個々をスイッチング回路１７でカウントし、加算回路１２で加算され、空車検出器３０が設定した台数になると満車検出器１１の駆動を停止させ、リレー２５を遮断、該接点２２，２３を開き、満車灯１０を消灯、空車灯９を点灯させ、当該満車検出器１１の駆動制御により、発券機２７の作動と。第２入口ゲートランプ２８が点灯継続する如くし、大駐車場案内盤１は１階、屋上の１７駐車列の満車ランプ５と、空車ランプ６からなる駐車列表示器をなし、右に満車灯１０を、空車灯９と、空車スペース報知スピーカ７、下方に実駐車数表示器８及び駐車検出器１１、及び空車検出器３０を備えた大駐車場案内盤１を駐車場入口に設け、警備員１４近傍に設けるよう構成した駐車場管理装置。
【発明の詳細な説明】
【技術分野】
【０００１】
本発明は、駐車場に自動車を１階、或いは屋上駐車場へと広範囲に駐車するに好適なる駐車場管理装置である。
【背景技術】
【０００２】
一般に従来の駐車場装置は、単に自動車を駐車することに主眼を置き、自動車の駐車状態を把握しても、表に駐車待ちの自動車による道路の混雑緩和させるべく早く駐車させることで表通りの道路の混雑緩和させる手段を持つものが無かった。
【発明の開示】
【発明が解決しようとする課題】
【０００３】
駐車場で、満車状態でも、空車スペースに速やかに案内せしめ、警備員がいなくても自動車を空車スペースに駐車可能なように、駐車待ち状態の並んだ自動車を駐車に即対応させ、入口ゲートを増やし、空車スペースが多くなることに対応して駐車場管理でき、且つ、表道路の自動車による混雑を緩和、混雑解消させるものである。
【課題を解決するための手段】
【０００４】
本発明は、駐車場入口に大駐車場案内盤を、各駐車列毎入口の駐車列案内表示器を設けて、駐車場が満車状態になると、大駐車場案内盤の満車ランプ及び満車灯が点灯することで、当該大駐車場案内盤で満車を視認、当該駐車検出器を余裕を持って満車の知らせをしてあるから、空車スペース報知スピーカからのA駐車列案内表示器に空車スペースがあると知らされた自動車は、駐車場内へと入り、駐車させることが出来、又、リアルタイムに状況は変化するが、駐車場内の何処か駐車列案内表示器の満車知らせランプの消灯していて、空車知らせブザーが鳴っていて、空車知らせランプが点灯した空車スペースを見つけて駐車場に入った自動車は自ら駐車でき、満車を満車検出器が検出して、第２入口ゲートの受付を開始、此処から入場した自動車は、当該駐車列案内表示器で、警備員に案内されなくても、空車ランプの点灯した空車スペースに自動車を駐車出来、自動車で混雑した表道路から自動車を速やかに無くすことができ、空車検出器で空車スペースが多くなることに対応して駐車場管理するようしたものである。
【発明の効果】
【０００５】
駐車場入口に設けた大駐車場案内盤の満車ランプが消灯していて、空車ランプが点灯しているから、この空車スペースに駐車出来、満車で満車灯の点灯することで、音声回路から空車スペース報知スピーカで空車スペースがあると案内され、警備員はこれで駐車場内に案内出来、広い駐車場ではリアルタイムで空車スペースの情報は変化するが、変化しても、各々駐車列の入口に設けた何処か駐車列案内表示器の空車知らせランプの点灯している空車スペース箇所に駐車でき、大駐車場案内盤の満車ランプが点灯していても、警備員に駐車案内された自動車は、空車知らせブザーが鳴っている駐車列案内表示器を目指せばよく、空車知らせランプの点灯した駐車列案内表示器の空車スペース箇所に駐車すれば良く、表道路の自動車の混雑を回避させることができ、且つ、駐車列案内表示器により入口ゲートを増加しても駐車場内は混雑せず、空車検出器により空車スペースが多くなることに対応して駐車場管理する如くし、警備員は一人で人件費節減できるものである。
【発明を実施するための最良の形態】
【０００６】
大駐車場案内盤を１箇所で、ここに警備員を１人を配置、駐車列案内表示器を駐車列分だけ設けて、満車検出器のデジタル数字で満車台数を設定出来、緩やかな満車状態にて満車灯の点灯させ、空車ランプの点灯、満車を満車検出器が検出で、空車スペース報知スピーカの音声による空車スペース箇所を把握した警備員が対応し、速やかに駐車位置に案内、当該満車検出で、満車検出器から発券機駆動装置を駆動させ、第２の入口ゲートの発券機を作動、且つ、満車検出器で駆動制御により第２入口ゲートランプ２８を点灯させ、当該第２入口ゲートを受付開始を知らせ、駐車可能にし、当該満車検出器が満車検出することで、リアルタイムに空車スペースは変化して、これには各自動車自ら空車知らせブザーの鳴動箇所の駐車列案内表示器を目指し空車知らせランプの点灯した空車スペースに駐車すればよく、この点でも第２入口ゲートを設けても駐車場内が混雑を解消し、空車検出器３０により設定した空車台数に対応して駐車場管理する如くし、交通整理する警備員を１人と人件費削減したものである。
【実施例】
【０００７】
本発明を図１により説明する、１は駐車場入口に設けた大駐車場案内盤であり、大駐車場案内盤１には満車ランプ５と空車ランプ６が、駐車列毎に満車ランプ５を１個、空車ランプ６は７個で構成し、駐車列はA−Uの１７個の１７列で、１階、屋上駐車表示器を設け、下方に満車検出器１１、空車検出器３０を、右方に実駐車数表示器８、空車スペース報知スピーカ７を、空車灯９を、満車灯１０を一番上に設けて大駐車場案内盤１を構成し、駐車列の入口毎に設けた駐車列案内表示器２、２には満車知らせランプ３と空車知らせランプ４、４は空車スペースだけ設け、この場合１−７箇所の７個を設けてなり、上部に空車知らせブザー２１を設けてなる駐車列案内表示器２は駐車列入口毎に立設して、大駐車場案内盤１と、駐車場案内表示器２を併設して、警備員１４の近傍に設けるようして、素早く自動車を空車スペースへと案内出来るようしたものである。
図２について、Sはタッチスイッチで、Lはランプスイッチであり、空車スペースに自動車が駐車したことにより駐車検出板１９に押されてタッチスイッチS（a接点）で信号ＳＡを出すようし、駐車したので点灯していた空車知らせランプ４はランプスイッチL（ｂ接点）が切れ、信号ＬＡが切れて、空車知らせランプ４を消灯するようにしたものである。
図４について説明すると、A駐車列案内表示器２とタッチスイッチS、及び空車知らせランプ２、満車知らせランプ３の電気回路を説明すると、今空車スペースに駐車され、駐車検出器１９に押されて、タッチスイッチSから信号ＳＡ１−ＳＡ７が発せられ、Ａ駐車列案内表示器２の全信号を一致回路２９が検出すると満車知らせランプ３を点灯させるものであり、空車知らせランプ２は消灯し、後に述べる満車を検出での満車検出器１１による満車灯１０の点灯と、満車知らせランプ３とは別回路になる。
図３について説明する、大駐車場案内盤１は駐車場入口に立設され、駐車列案内表機器２、２を併設してあり、近傍に警備員１４が立硝、駐車場内への案内をするものである。
入口ゲート１５より発券機２７でチケットを買い、入場した自動車は警備員１４により、大駐車場案内盤１の情報により案内され、お客様用の歩道１８を、エレベータ１７を設け、お客様の流通の足を確保し、出口ゲート１６を１階、屋上駐車場にと分けて設けいる。
図４、５について説明する、タッチスイッチＳ（a接点）は、Ａ駐車列（この場合）の７箇所の空車スペースに設けてあり、タッチスイッチS（a接点）は押されて信号ＳＡ１−ＳＡ７を送出させる電気回路で、タッチスイッチＳの信号ＳＡ１−ＳＡ７を一致回路２９と接続し、一致回路２９と、満車知らせランプ３を接続させるのと、大駐車場案内盤１内のスイッチング回路１７に接続、スイッチング回路１７でカウントして加算回路１２で実駐車数表示機８に表示させるものであり、満車検出器１１で満車を検出すると空車灯９を消灯、満車灯１０を点灯させ、近傍の警備員に満車と視認させるものである。
ランプスイッチＬ（ｂ接点）は、Ａ駐車列（この場合）の７箇所の空車スペースに設け、ランプスイッチL（ｂ接点）は駐車が外れて信号ＬＡ１−ＬＡ７を送出させる電気回路で、大駐車場案内盤１内の音声回路１３に接続、当該音声回路１３で空車スペース報知スピーカ７によりＡ駐車列Ａ１、Ａ２が駐車可能であると音声で知らせることができる。
但し、空車スペース報知スピーカ７は満車検出器１１が作動してリレー２５が励磁され、該接点２３が閉じてはじめて、音声回路１３により空車スペース報知スピーカ７でＡ駐車列Ａ１−Ａ７の空車スペースを報知するようしている。
大駐車場案内盤１の満車検出器１１はデジタル数字で２００から２５２台の間で満車の台数を設定でき、日曜の混雑状況により２００台と早めにし表道路の自動車による混雑緩和に対応でき、上記条件で満車検出器１１で満車を検出すると空車灯９は消灯し、満車灯１０が点灯し、図５から解るように電気回路でリレー２５が励磁し、接点２２が閉じて、駐車列の駐車列案内表示器２、空車知らせブザー２１の鳴動する方を目指せば良く、その空車スペースへと駐車すべく自動車を素早く移動させることが出来、駐車場内の自動車による混雑を解消出来る。
図４について説明する、A駐車列案内表示器２とランプスイッチL、及び空車知らせブザー２１の電気回路を説明すると、今満車からA駐車列案内表示器２の満車知らせランプ３は点灯、後に空車になると駐車検出板１９が押すのを止め、ランプスイッチLは閉じ、ランプスイッチLからの信号ＬＡ１―ＬＡ７が送出され、空車知らせランプ４のＡ１−Ａ７が点灯、空車知らせブザー２１が鳴動するようし、簡単な電気回路でランプの点灯、ブザーの鳴動によりＡ駐車列案内表示器２で自動車が駐車可能と視認できるようしたものである。
但し、上述の空車知らせブザー２１の鳴動は、満車を満車検出器１１が検出してはじめてリレー２５が励磁され、接点２２が閉じて空車知らせブザー２１は鳴動するものである。
図5について説明すると、空車知らせ報知スピーカ７を報知可能にするのは、満車を満車検出器１１が検出するとリレー２５が励磁され、接点２３が閉じて、音声回路１３から空車知らせ報知スピーカ７で報知可能にし、満車を満車検出器１１が検出すると、満車検出器１１により駆動制御され、第２入口ゲート２０の発券機駆動装置２６を駆動させて、第２入口ゲート２０の発券機２７を作動させ、且つ、満車検出器１１の駆動制御により第２入口ゲートランプ２８は点灯させ、第２入口ゲート２０が駐車場へ自動車を受け入れ、駐車受付開始したことを知らせる如くしたものであり、大駐車場案内盤１の空車検出器３０はデジタル数字で１００の適宜な数字で空車台数を設定出来、日曜の混雑状況により５０−１００台と、早めにして、表道路の自動車による混雑緩和に対応させ、上述の満車状態を検出後、リアルタイムに変化する所を、ランプスイッチLの信号ＬＡ１−ＬＡ７をスイッチング回路１７でカウントし、加算回路１２で加算されて、空車検出器３０が設定した空車台数１００台になると、空車検出器３０は満車検出器１１の駆動を停止させるもので、リレー２５を遮断し、接点２２、２３を開くから、上部駐車列案内表示器２の空車知らせブザー２１の鳴動を停止させ、大駐車場案内盤１の空車知らせ報知スピーカ７の報知を停止させるものであり、但し、第２入口ゲート２０の受付と、第２入口ゲートランプ２８の点灯させ、満車検出器１１の駆動制御作動継続するものである。
図６について説明すると、２０は第２入口ゲートで、第２入口ゲート２０の近傍に設けた第２入口ゲートランプ２８を設け、満車を検出して作動した満車検出器１１から発券機駆動装置２６を駆動させ、第２入口ゲート２０の発券機２７を作動、満車検出器１１の駆動制御により第２入口ゲートランプ２８は点灯し、第２入口ゲート２０からの駐車場への受付開始を知らせる如くしている。
本発明の動作を説明すると、満車検出器１１で２００台の設定で満車灯１０が点灯、図２で解るようにタッチスイッチSは回路を閉じ、ランプスイッチLは回路を開いてランプは消灯する電気回路とし、今A駐車列が満車で、図４，５にてタッチスイッチSは閉じて、当該電気回路により信号ＳＡ１―ＳＡ７の信号送出、該信号を加算回路１２のスイッチング回路１７によりカウントして、加算された実駐車数表示機８で２００と表示され、設定された満車数で、満車灯は点灯、残り５２台の駐車に余裕があるから、満車であるが警備員は駐車案内を継続できるものである。
当該電気回路のタッチスイッチＳの信号送出されたＳＡ１−ＳＡ７の、全信号送出されることにより、一致回路２９により満車知らせランプ３を点灯させ、Ａ駐車列案内表示器２の空車知らせランプ４を消灯させて満車状態と知らせるものである。
リアルタイムでA駐車列の自動車が全車退けて、駐車検出板１９が押すことを止めて、同時に、ランプスイッチLは回路を閉じて、ランプスイッチLのＬＡ１−ＬＡ７が閉じる電気回路で接続された大駐車場案内盤１の空車ランプ６のＡ１−Ａ７それぞれA駐車列の空車ランプ６が点灯し、満車ランプ５は消灯している。
図４で解るように空車知らせブザー２１は、リレー２５の接点２２と接続され、接点２２は開いていて、ブザーの鳴動は無く、満車を検出して満車検出器１１が作動すると、リレー２５が励磁して、接点２２、２３は閉じて、空車知らせブザー２１は鳴動し、図5で解るようにもう一方の満車により接点２３が閉じると、ランプスイッチLのＬＡ１−ＬＡ７の信号が送出され、音声回路１３をへて音声でA駐車列の空車スペースＡ１−Ａ７と音声で知らせるもので、これを見て、聞いて警備員１４は速やかに表道路の駐車待ちの自動車に対処し、道路上の混雑を解消でき、リアルタイムに変化して、A駐車列が満車になり、いままでとは逆に空車ランプ６のＡ１−Ａ７が消灯し、満車ランプ５が点灯、同時に、タッチスイッチSのＳＡ１−ＳＡ７の信号が送出され、加算回路１２のスイッチング回路１７によりカウントされ、加算され実駐車数表示器８で２０７と表示し、加算表示して、満車知らせランプ３が点灯することで、案内した自動車が駐車したことを警備員１４は視認でき、警備員１４も駐車場の管理を行え、満車を検出した満車検出器１１の駆動により、第２入口ゲート２０の発券機駆動装置２６を駆動させて、第２入口ゲート２０の発券機２７を作動させ、且つ、駐車場が満車状態と検出した満車検出器１１の駆動制御により第２入口ゲートランプ２８は点灯して、第２入口ゲート２０から駐車場への受付を開始を知らせる如くして、この点においても表道路の自動車による混雑を緩和、混雑解消するものであり、駐車場管理が行えるものである。
満車状態で満車検出器１１の駆動後、ランプスイッチLのＬＡ１−ＬＡ７の信号個々をスイッチング回路１７でカウントし、加算回路１２で加算され、空車検出器３０が設定した空車台数になると満車検出器１１の駆動を停止させ、リレー２５を遮断、該接点２２、２３を開き、空車知らせブザー２１は鳴動を止め、空車スペース報知スピーカ７の音声報知を中止させ、満車灯１０を消灯、空車灯９を点灯させ、当該駐車検出器１１の駆動制御により、発券機２７の作動と、第２入口ゲートランプ２８が点灯を継続させ、当該空車灯９の点灯により、これを視認した警備員１４その日の終盤にかけて、各々駐車列の空車スペースも１００台近くと多くなることを確認出来、駐車場管理を行えるものである。
上述の説明において、Ａ駐車列案内表示器２についてのみ説明したが、１階のＡ―Ｕ及び、屋上Ａ―Ｕ駐車列案内表示器２については同じなので説明を省略したものである。
【産業上の利用可能性】
【０００８】
本発明によれば、駐車場の入口で大駐車場案内盤と駐車列案内表示器で、近傍の警備員により速やかに案内出来、満車状態で空車スペース報知スピーカで空車スペース箇所を報知し、駐車場内に入ってリアルタイムの空車スペースは、空車知らせブザーの鳴動している駐車列案内表示器を目指せば良く、該駐車列案内表示器、空車知らせランプの点灯箇所の空車スペースに駐車すれば良く、駐車列案内表示器を設けたから第２入口ゲートを設け、第２入口ゲートランプの点灯することで、駐車受付開始したことを知らせ、第２入口ゲートを設けたから表道路の自動車による混雑緩和、混雑解消することが出来るものである。
【図面の簡単な説明】
【０００９】
【図１】本発明になる大駐車場案内盤と駐車列案内表示器の駐車場入口の詳細説明図である。
【図２】本発明になる駐車検出版とタッチスイッチSとランプスイッチLの詳細説明図である。
【図３】本発明になる駐車場の全体詳細説明図である。
【図４】本発明になる駐車列案内表示器、空車知らせブザーの電気回路図である。
【図５】本発明になる大駐車場案内盤の空車スペース報知スピーカ、実駐車数表示器、満車検出器との電気回路図である。
【図６】本発明になる駐車場と第２入口ゲートのある全体詳細説明図である。
【符号の説明】
【００１０】
S      タッチスイッチ                        L      ランプスイッチ
１      大駐車場案内盤                      ２      駐車列案内表示器
３      満車知らせランプ                    ４      空車知らせランプ
５      満車ランプ                          ６      空車ランプ
７      空車スペース報知スペーカ            ８      実駐車数表示器
９      空車灯                              １０    満車灯
１１    満車検出器                          １２    加算回路
１３    音声回路                            １４    警備員
１５    入口ゲート                          １６    出口ゲート
１７    スイッチング回路                    １８    歩道
１９    駐車検出板                          ２０    第２入口ゲート
２１    空車知らせブザー                    ２２    接点
２３    接点                                ２４    エレベータ
２５    リレー                              ２６    発券機駆動装置
２７    発券機                              ２８    第２入口ゲートランプ
２９    一致回路                            ３０    空車検出器
【図１】
2005310024.tif 000003
【図２】
2005310024.tif 000004
【図３】
2005310024.tif 000005
【図４】
2005310024.tif 000006
【図５】
2005310024.tif 000007
【図６】
2005310024.tif 000008